(57)【要約】広告費用を自動的に充填する方法およびシステムを提供する。広告費用を自動的に充填する方法は、広告費用の残額を基準にして広告露出サービスの中断を第１の周期で実施し、前記第１の周期よりも短い第２の周期で自動充填を実施するための広告費用に関する決済情報を管理するステップと、前記決済情報に応じて前記第２の周期で前記広告費用を自動充填するステップと、前記自動充填結果を通知するステップとを含む。
2012501488.tif 000002
【特許請求の範囲】
【請求項１】
広告費用の残額を基準にして広告露出サービスの中断を第１の周期で実施し、前記第１の周期よりも短い第２の周期で自動充填を実施するための広告費用に関する決済情報を管理するステップと、
前記決済情報に応じて前記第２の周期で前記広告費用を自動充填するステップと、
前記自動充填結果を通知するステップと、
を含むことを特徴とする広告費用を自動的に充填する方法。
【請求項２】
前記決済情報を管理するステップは、
広告主から前記広告費用を決済するためのアカウント単位に応じて自動充填が設定されるステップと、
前記自動充填に対する設定可否を判断するステップと、
前記広告主から前記自動充填による決済情報が入力されるステップと、
前記入力された決済情報を認証するステップと、
前記認証された決済情報を格納するステップと、
を含むことを特徴とする請求項１に記載の広告費用を自動的に充填する方法。
【請求項３】
前記決済情報の有効性を判断するステップと、
前記有効性判断の結果に応じて前記決済情報のビルキーを発給するステップと、
をさらに含むことを特徴とする請求項２に記載の広告費用を自動的に充填する方法。
【請求項４】
前記認証された決済情報を格納するステップは、前記認証された決済情報および前記発給されたビルキーを格納することを特徴とする請求項３に記載の広告費用を自動的に充填する方法。
【請求項５】
前記自動充填による決済情報が入力されるステップは、前記自動充填による１回の充填金額、１ヶ月の上限の充填金額、開始時間または終了時間情報を含む前記決済情報が入力されることを特徴とする請求項２に記載の広告費用を自動的に充填する方法。
【請求項６】
前記決済情報に応じて前記ビルキーで自動充填を要求するステップをさらに含み、
前記広告費用を自動的に充填するステップは、前記要求された自動充填によって前記ビルキーで前記自動充填の決済を実行することを特徴とする請求項４に記載の広告費用を自動的に充填する方法。
【請求項７】
前記自動充填に対する成功可否を判断するステップと、
前記充填の成功可否に応じて前記決済情報をアップデートするステップと、
をさらに含むことを特徴とする請求項６に記載の広告費用を自動的に充填する方法。
【請求項８】
前記決済が失敗した場合、バックアップクレジットカードを用いて再充填を要求するステップをさらに含み、
前記広告費用を自動充填するステップは、前記再充填要求に応じて前記バックアップクレジットカードを介して前記広告費用を自動的に充填することを特徴とする請求項７に記載の広告費用を自動的に充填する方法。
【請求項９】
前記自動充填結果を通知するステップは、前記自動充填結果に応じて決済成功メッセージ、決済失敗メッセージ、または結果通知メッセージを前記広告主に送信することを特徴とする請求項７に記載の広告費用を自動的に充填する方法。
【請求項１０】
前記自動充填結果を通知するステップは、前記自動充填の決済が成功した時、または前記バックアップクレジットカードを介した決済が成功した時に、前記決済成功メッセージを前記広告主に送信することを特徴とする請求項９に記載の広告費用を自動的に充填する方法。
【請求項１１】
前記自動充填結果を通知するステップは、前記自動充填の決済が失敗した時、または前記バックアップクレジットカードを用いた決済が失敗した時に、前記決済失敗メッセージを前記広告主に送信することを特徴とする請求項９に記載の広告費用を自動的に充填する方法。
【請求項１２】
前記自動充填結果を通知するステップは、前記自動充填の決済金額が１ヶ月の上限の充填金額を超過した場合、または前記自動充填に対する終了日が経過した場合、前記広告主に前記決済通知メッセージを送信することを特徴とする請求項９に記載の広告費用を自動的に充填する方法。
【請求項１３】
前記決済情報をアップデートするステップは、前記自動充填が成功した場合に前記決済情報から残額をアップデートし、前記アップデートされた決済情報の変更履歴を表示するステップをさらに含むことを特徴とする請求項７に記載の広告費用を自動的に充填する方法。
【請求項１４】
請求項１乃至請求項１３のいずれか１項の方法を行うプログラムを記録したコンピュータで読み出し可能な記録媒体。
【請求項１５】
広告費用の残額を基準にして広告露出サービスの中断を第１の周期で実施し、前記第１の周期よりも短い第２の周期で自動充填を実施するための広告費用に関する決済情報を管理する決済情報管理部と、
前記決済情報に応じて前記第２の周期で前記広告費用を自動的に充填する自動充填部と、
前記自動充填結果を通知する通知部と、
を備えることを特徴とする広告費用を自動的に充填する自動充填システム。
【請求項１６】
前記決済情報管理部は、
広告主から前記広告費用を決済するためのアカウント単位に応じて自動充填が選択入力され、または前記自動充填の決済情報が入力される入力部と、
前記自動充填に対する選択可否を判断する判断部と、
前記入力された決済情報を認証する認証部と、
前記認証された決済情報を格納する格納部と、
を備えることを特徴とする請求項１５に記載の広告費用を自動的に充填する自動充填システム。
【請求項１７】
前記判断部は、前記決済情報の有効性を判断し、前記有効性を判断した結果に応じて前記決済情報のビルキーを発給する発給部をさらに備えることを特徴とする請求項１６に記載の広告費用を自動的に充填する自動充填システム。
【請求項１８】
前記格納部は、前記認証された決済情報および前記発給されたビルキーを格納することを特徴とする請求項１７に記載の広告費用を自動的に充填する自動充填システム。
【請求項１９】
前記入力部は、前記自動充填による１回の充填金額、１ヶ月の上限の充填金額、または充填終了時間情報を含む前記決済情報が入力されることを特徴とする請求項１６に記載の広告費用を自動的に充填する自動充填システム。
【請求項２０】
前記自動充填部は、前記ビルキーを用いた充填要求に応じて前記ビルキーで前記自動充填の決済を行うことを特徴とする請求項１８に記載の広告費用を自動的に充填する自動充填システム。
【請求項２１】
前記判断部は、前記自動充填に対する成功可否を判断し、
前記格納部は、前記充填結果に応じてアップデートされた決済情報を格納することを特徴とする請求項２０に記載の広告費用を自動的に充填する自動充填システム。
【請求項２２】
前記自動充填部は、前記決済が失敗した場合、バックアップクレジットカードを用いた再充填要求に応じて、前記バックアップクレジットカードを介した前記自動充填の決済を行うことを特徴とする請求項２１に記載の広告費用を自動的に充填する自動充填システム。
【請求項２３】
前記通知部は、前記充填結果に応じて決済成功メッセージ、決済失敗メッセージ、または結果通知メッセージを前記広告主に送信することを特徴とする請求項２０に記載の広告費用を自動的に充填する自動充填システム。
【請求項２４】
前記通知部は、前記自動充填の決済が成功した時、または前記バックアップクレジットカードを用いた決済が成功した時に、前記決済成功メッセージを前記広告主に送信することを特徴とする請求項２３に記載の広告費用を自動的に充填する自動充填システム。
【請求項２５】
前記通知部は、前記自動充填の決済が失敗した時、または前記バックアップクレジットカードを用いた決済が失敗した時に、前記決済失敗メッセージを前記広告主に送信することを特徴とする請求項２３に記載の広告費用を自動的に充填する自動充填システム。
【請求項２６】
前記通知部は、前記自動充填の決済金額が１ヶ月の上限の充填金額を超過した場合、または前記自動充填に対する終了日が経過した場合、前記広告主に前記結果通知メッセージを送信することを特徴とする請求項２３に記載の広告費用を自動的に充填する自動充填システム。
【請求項２７】
前記格納部は、前記充填が成功した場合、残額がアップデートされた決済情報を格納し、前記アップデートされた決済情報の変更履歴を表示する表示部をさらに備えることを特徴とする請求項２１に記載の広告費用を自動的に充填する自動充填システム。
【発明の詳細な説明】
【技術分野】
【０００１】
本発明は、広告費用を自動的に充填する方法およびシステムに関し、より詳細には、広告費用に関する決済情報に応じて広告費用を自動的に充填し、広告費用に関する自動充填結果を通知する方法およびシステムに関する。
【背景技術】
【０００２】
一般的にオンラインの広告方法は、インターネットを介してウェブページに接続するユーザに対してウェブページに定められた広告領域に広告を露出し、広告が露出された回数または露出された広告のクリック回数によって広告主に広告費用を請求する。
【０００３】
このようなオンライン広告方法は、毎週または毎月といった一定の期日に広告費用を請求したり、予め広告費用に関する預金が支払われ、発生した広告費用を預金から差し引かれたりする方式が適用される。
【０００４】
従来における広告費用を預金として供給する方式は、広告主の預金内で広告が執行されるため預金が全て使用された場合、これ以上の広告を執行することができない。このように従来の預金を使用した広告執行方式は、広告主が予め支払った預金内でのみ広告執行が発生するため、広告主が持続的に広告を執行することを希望する場合、預金の残額を確認した後、残額が足りなければ預金をさらに入金しなければならない煩わしさがある。
【０００５】
したがって、広告主が広告費用をいちいち確認することなく、広告費用を自動的に充填することのできる方案が必要とされている。
【発明の概要】
【発明が解決しようとする課題】
【０００６】
本発明の目的は、広告費用に関する決済情報に応じて広告費用を自動的に充填し、広告費用に関する自動充填結果を通知する方法およびシステムを提供することにある。
【０００７】
また、本発明の目的は、広告費用の残額不足によって広告の露出が中断されることを最小化するために、広告露出の中断周期よりも短い周期で、広告費用を自動的に充填する方法およびシステムを提供することにある。
【０００８】
また、本発明の目的は、広告費用を充填する毎にクレジットカード情報を入力したり、口座の振替を実行したりしなければならない不便さを最小化するため、広告費用に関する決済情報を管理する方法およびシステムを提供することにある。
【０００９】
また、本発明の目的は、広告費用に関する自動充填によって広告費用の残額不足の状況を最小化して、広告費用に関する前受金を確保し、広告露出に対する売り上げの機会を失うことを最小化することのできる広告費用自動充填方法およびシステムを提供することにある。
【課題を解決するための手段】
【００１０】
本発明の一実施形態に係る広告費用を自動的に充填する方法は、広告費用の残額を基準にして広告露出サービスの中断を第１の周期で実施し、前記第１の周期よりも短い第２の周期で自動充填を実施するための広告費用に関する決済情報を管理するステップと、前記決済情報に応じて前記第２の周期で前記広告費用を自動充填するステップと、前記自動充填結果を通知するステップとを含む。
【００１１】
本発明の一実施形態に係る広告費用を自動的に充填する自動充填システムは、広告費用の残額を基準にして広告露出サービスの中断を第１の周期で実施し、前記第１の周期よりも短い第２の周期で自動充填を実施するための広告費用に関する決済情報を管理する決済情報管理部と、前記決済情報に応じて前記第２の周期で前記広告費用を自動的に充填する自動充填部と、前記自動充填結果を通知する通知部とを備える。
【発明の効果】
【００１２】
本発明によれば、広告費用に関する決済情報に応じて広告費用を自動的に充填し、広告費用に関する充填結果を通知することによって、広告主が広告費用を別途管理しなくても、定められた期間の間に限度額内で広告費用を便利に自動充填することができる。
【００１３】
また、本発明によれば、広告費用に関する残額不足によって広告露出が中断されることを防止するため、広告の露出が中断される前に一定の金額を充填したり、または予想充填額に対してＮ倍の金額を充填したりすることができる。
【００１４】
また、本発明によれば、一定期間の間に自動充填される金額が一定の限度を越えないように調整することができる。
【００１５】
また、本発明によれば、広告費用に関する自動充填を行うことによって、広告費用に関する残額不足により広告露出が中断されることを減少させることができる。
【００１６】
また、本発明によれば、広告費用に関する自動充填を行うことによって広告主の意志とは関係のない広告中断の発生が防止されるため、広告を持続的に露出することができる。
【００１７】
また、本発明によれば、後払いの広告主が拡大した時にも、一定の金額がマイナスになる危険性を減少させるような自動決済を可能にすることができる。
【図面の簡単な説明】
【００１８】
【図１】本発明に係る自動充填システム、広告主端末、および広告露出端末の関係を示す図である。
【図２】本発明の一実施形態に係る自動充填システムの構成を示す図である。
【図３】本発明に係る自動充填システムにおいて、決済情報管理部をより具体化した構成の一例を示す図である。
【図４】本発明の一実施形態に係る自動充填方法の動作の流れを示す図である。
【図５】本発明に係る自動充填方法において決済情報管理ステップをより具体化した一例を示す図である。
【図６】本発明に係る自動充填方法において自動充填ステップをより具体化した一例を示す図である。
【発明を実施するための形態】
【００１９】
以下、添付する図面を参照しながら広告費用を自動的に充填する広告充填システムおよび方法を詳細に説明する。
【００２０】
図１は、本発明に係る自動充填システム、広告主端末、および広告露出端末の関係を示す図である。
【００２１】
図１を参照すると、自動充填システム１００は、広告費用に関する決済情報に応じて広告費用を自動的に充填し、広告費用に関する充填結果を通知する。一例として、自動充填システム１００は、インターネット１１０によって接続された広告主端末１２０から、広告アカウント単位に応じて広告主により入力された広告費用に関する決済情報に応じて、広告主の広告費用を自動的に充填した後、広告費用に関する充填結果を、広告主端末１２０を介して広告主に通知してもよい。
【００２２】
自動充填システム１００は、一定の期間ごとに一定の金額を充填する広告費用に関する決済情報がオプションとして設定されてもよい。
【００２３】
自動充填システム１００は、残額がなくなることが予想される時または残額がなくなる前に、一定の金額を充填したり、予想される充填額のＮ倍の金額を充填したりする広告費用に関する決済情報がオプションとして設定されてもよい。
【００２４】
すなわち、自動充填システム１００は、広告費用の残額不足によって広告露出が中止される前に広告費用を充填させることによって、広告費用の残額不足により広告露出が中断されることを予め防止することができる。したがって、自動充填システム１００は、広告費用を充填することによって、広告主の意志とは関係なく広告が中断されないため、広告を持続的に露出することが可能である。
【００２５】
自動充填システム１００は、一定期間の間に自動充填される金額が一定の限度を越えないように調整する広告費用に関する決済情報がオプションとして設定されてもよい。
【００２６】
自動充填システム１００は、決済手段としてクレジットカードを用いる場合に、クレジットカードの有効性をチェックした後にクレジットカードを登録し、バックアップクレジットカードも登録してもよい。
【００２７】
自動充填システム１００は、決済手段として口座の振替を用いる場合、口座番号の有効性をチェックした後に登録し、バックアップ口座番号も登録してもよい。
【００２８】
自動充填システム１００は、後払いの広告主が拡大した時にも、一定の金額がマイナスになる危険性を減少させるように自動決済できるよう設定してもよい。すなわち、自動充填システム１００は、売り上げを拡大するために、安定的な前受金を確保する先払い方式であるだけではなく、危険の少ない方法として売り上げを確保することのできる後払い方式も考慮してもよい。
【００２９】
広告主端末１２０は、広告アカウントに応じて広告主が希望する広告をインターネット１１０によって接続された自動充填システム１００に登録し、登録された広告の広告費用を自動充填するための決済情報を登録する。一例として、広告主がＡ広告を一定期間の間に広告したい場合、広告主端末１２０は、１回の充填金額、１ヶ月の上限の充填金額、または充填時間情報などをＡ広告の広告費用を自動充填するための決済情報としてインターネット１１０によって接続された自動充填システム１００に登録してもよい。例えば、１回の充填金額は５０、０００ウォン／１００、０００ウォン／２００、０００ウォン／３００、０００ウォンなどのように予め決定された金額範囲内のいずれの金額が広告主によって選択されてもよく、広告主によって所望する金額が直接入力されてもよい。例えば、１ヶ月の上限の充填金額は３００、０００ウォン／５００、０００ウォン／１、０００、０００ウォン／２、０００、０００ウォンなどのように予め決定された金額内のいずれの金額が広告主によって選択されてもよく、広告主によって所望する金額が直接入力されてもよい。例えば、充填時間情報は、充填開始の日付情報または充填終了の日付情報を含んでもよい。
【００３０】
自動充填システム１００は、広告費用の残額を基準にして広告露出サービスの中断を第１の周期で実施し、第１の周期よりも短い第２の周期で自動充填を実施するための広告費用に関する自動充填決済情報を管理し、自動充填決済情報に応じて広告主に対する広告費用を自動的に充填する。すなわち、自動充填システム１００は、広告費用の残額を基準にして広告露出サービスの中断を第１の周期で実施し、第２の周期に広告主の広告費用を自動的に充填する。第１の周期は広告費用の残額を基準にして広告露出サービスを中断するための周期であり、第２の周期は広告露出サービスを持続するために第１の周期よりも短く広告費用を充填するための周期である。一例として、自動充填システム１００は、３０分単位に広告費用の残額を基準にして広告露出サービスを中断させ、１０分単位に広告費用を自動充填してもよい。
【００３１】
１回の充填金額が「５０、０００ウォン」、１ヶ月の上限の充填金額が「５００、０００ウォン」、充填終了の日付情報が「２０００／０８／３１」である場合、自動充填システム１００は、広告に対するアカウント単位に応じて執行される広告主の広告費用が足りない場合、１回の充填金額「５０、０００ウォン」を第２の周期に自動充填し、充填終了の「２０００／０８／３１」日まで１ヶ月の上限の限度額である「５００、０００ウォン」を超過しない範囲で広告主に対する広告費用を自動的に充填してもよい。
【００３２】
自動充填システム１００は、充填された広告費用に応じて広告主によって登録された広告を執行し、インターネットによって接続された広告露出端末１３０を介して広告を露出させる。一例として、自動充填システム１００は、広告費用が定められた期間の間に自動充填された後、充填された広告費用が広告を執行するための広告費用よりも多ければ、インターネットによって接続された広告露出端末１３０を介して広告を露出してもよい。一例として、自動充填システム１００は、広告費用が定められた期間の間に自動充填された後、充填された広告費用が広告を執行するための広告費用よりも少なければ、第１の周期にインターネットによって接続された広告露出端末１３０を介する広告の露出を中止させてもよい。
【００３３】
広告露出端末１３０は、インターネット１２０によって自動充填システム１００に接続すると、自動充填システム１００から提供されるウェブページに含まれた広告をユーザに露出する。
【００３４】
図２は、本発明の一実施形態に係る自動充填システムの構成を示す図である。
【００３５】
図２を参照すると、本発明の一実施形態に係る自動充填システム１００は、決済情報管理部２１０、自動充填部２２０、および通知部２３０を備える。
【００３６】
決済情報管理部２１０は、広告費用の残額を基準にして広告露出サービスの中断を第１の周期で実施し、第１の周期よりも短い第２の周期で自動充填を実施するための広告費用に関する決済情報を管理する。一例として、自動充填が定期充填である場合、決済情報は、一定の期間に応じて自動充填するための充填周期および一定の金額を充填するための情報であってもよい。他の一例として、自動充填が残額消尽充填である場合、決済情報は、残額がなくなることが予想される時または残額がなくなる前に一定の金額充填または予想充填額に対するＮ倍の金額を自動的に充填するための情報であってもよい。更なる一例として、決済情報は、一定期間の間に自動充填される金額が決定された限度を越えないよう調整された情報であってもよい。
【００３７】
すなわち、決済情報管理部２１０は、広告に対するアカウント単位に応じて広告費用の決済情報が広告主から登録され、登録された決済情報を管理する。
【００３８】
図３は、本発明に係る自動充填システムに含まれた決済情報管理部をより具体化した構成の一例を示す図である。
【００３９】
図３を参照すると、決済情報管理部２１０は、入力部３１０、判断部３２０、認証部３３０、格納部３４０、および発給部３５０を備える。
【００４０】
入力部３１０は広告主から広告費用を決済するためのアカウント単位に応じて自動充填が選択的に入力されるか、または自動充填のための広告費用に関する決済情報が入力される。
【００４１】
定期充填である場合、入力部３１０は、広告主から一定期間ごとに一定の金額を定期的に自動充填させる決済情報が入力されてもよい。
【００４２】
残額消尽充填である場合、入力部３１０は、広告主から残額がなくなることが予想される時、または残額がなくなる前に一定の金額充填または予想充填額のＮ倍の金額を自動充填させる決済情報が入力されてもよい。
【００４３】
入力部３１０は、広告主から一定期間の間に自動充填される金額が一定の限度を越えないように調整する決済情報が入力されてもよい。
【００４４】
一例として、入力部３１０は、広告主から、または管理者から自動充填による１回の充填金額、１ヶ月の上限の充填金額、開始時間または終了時間情報を含む決済情報が入力されてもよい。
【００４５】
一例として、入力部３１０は、広告主から広告主の個人情報、広告主の口座情報、広告主のクレジットカード情報、口座の暗証番号、カードの暗証番号、または公認認証の暗証番号などを自動充填に対する広告費用の決済情報として入力されてもよい。広告主の口座情報は、主たる決済口座情報および主たる決済口座が有効ではない場合に使用され得るバックアップ口座情報を含んでもよい。広告主のクレジットカード情報は、主たる決済クレジットカード情報および主たる決済クレジットカードが有効ではない場合に使用され得るバックアップクレジットカード情報を含んでもよい。判断部３２０は、広告費用の自動充填に対する選択可否を判断する。すなわち、判断部３２０は、広告のアカウント単位で広告の広告主によって、広告費用に関する自動充填機能がオンに選択されたか否か、または自動充填機能がオフに選択されたか否かを判断する。
【００４６】
また、判断部３２０は、広告費用に関する自動充填が選択された場合、自動充填の決済情報に対する有効性を判断する。また、判断部３２０は広告費用に対する自動充填が成功したか否かを判断する。
【００４７】
認証部３３０は入力された決済情報を認証する。一例として、認証部３３０は広告主の個人情報、広告主の口座情報、広告主のクレジットカード情報、口座の暗証番号、カードの暗証番号または公認認証の暗証番号などを広告主の広告費用に関する決済時に必要な各種の決済情報として認証してもよい。
【００４８】
格納部３４０は認証された決済情報を格納する。すなわち、格納部３４０は、広告費用に関する自動充填のための認証部３３０によって認証された決済情報を格納する。格納部３４０は、認証された決済情報および自動充填のために発給されるビルキーを格納する。格納部３４０は、充填結果に応じてアップデートされた決済情報を格納する。一例として、自動充填が成功した場合、格納部３４０は残額がアップデートされた決済情報を格納してもよい。
【００４９】
発給部３５０は、有効性を確認した結果に応じて決済情報のビルキー（ｂｉｌｌｋｅｙ）を発給する。すなわち、発給部３５０は、認証された決済情報の有効性を判断した結果に応じて決済情報が有効であれば、広告費用を自動充填するための決済情報に対するビルキーを発給する。
【００５０】
表示部３６０は、アップデートされた広告費用の自動充填による決済情報の変更履歴を表示する。
【００５１】
自動充填部２２０は、各広告主の広告費用を自動充填するための決済情報に応じて、第２の周期に広告主に対する広告費用を自動充填する。自動充填部２２０は、ビルキーを用いた充填要求に応じてビルキーで自動充填を決済する。
【００５２】
一例として、自動充填の決済が失敗した場合、自動充填部２２０はバックアップクレジットカードを用いた再充填要求に応じて、バックアップクレジットカードを介する自動充填の決済を進めてもよい。
【００５３】
通知部２３０は充填結果を通知する。すなわち、通知部２３０は、広告費用に関する自動充填結果を広告主または管理者に通知する。
【００５４】
一例として、通知部２３０は、充填結果に応じて決済成功メッセージ、決済失敗メッセージ、または結果通知メッセージを広告主端末に送信して充填結果を広告主に通知してもよい。
【００５５】
一例として、通知部２３０は、自動充填の決済が成功した時、またはバックアップクレジットカードを用いた決済が成功した時に、決済成功メッセージを広告主端末に送信して広告費用の自動充填に対する成功結果を広告主に通知してもよい。
【００５６】
一例として、通知部２３０は、自動充填の決済が失敗した時、またはバックアップクレジットカードを用いた決済が失敗した時に、決済失敗メッセージを広告主端末に送信して広告費用の自動充填に対する失敗結果を広告主に通知してもよい。
【００５７】
一例として、通知部２３０は、自動充填の決済金額が１ヶ月の上限の充填金額を超過した場合、または自動充填に対する終了日が経過した場合に、広告主の端末に結果通知メッセージを送信して広告費用の自動充填に対する決済情報を広告主に通知してもよい。
【００５８】
このように本発明に係る広告費用を自動的に充填する自動充填システム１００は、広告費用に関する決済情報に応じて広告費用を自動的に充填し、広告費用に関する充填結果を通知することによって広告主が広告費用を別途に管理しなくても、定められた期間の間に限度額内で広告費用を便利に自動充填することができる。
【００５９】
図４は、本発明の一実施形態に係る自動充填方法の動作流れを示す図である。
【００６０】
図１および図４を参照すると、ステップＳ４１０において、自動充填システム１００は、広告費用の残額を基準にして広告露出サービスの中断を第１の周期で実施し、第１の周期よりも短い第２の周期で自動充填を実施するため、広告費用に関する自動充填決済情報を管理する。すなわち、ステップＳ４１０において、自動充填システム１００は、インターネット１１０によって接続された広告主端末１２０から広告アカウント単位に応じて広告主により入力された広告費用に関する決済情報を管理する。以下、図５を参照して広告費用を自動充填するための決済情報を管理するステップの動作をより具体的に説明する。
【００６１】
図５は、本発明に係る自動充填方法において決済情報管理ステップをより具体化した一例を示す図である。
【００６２】
図１および図５を参照すると、ステップＳ５１０において、自動充填システム１００は、広告主端末１２０から広告主によって、広告アカウント単位に応じて広告費用に関する自動充填が設定される。すなわち、ステップＳ５１０において、自動充填システム１００は、広告主端末１２０から広告主によって、広告アカウント単位に応じて広告費用に関する自動充填機能のオン状態またはオフ状態の設定を受信する。一例として、ステップＳ５１０において、自動充填システム１００は、広告主端末１２０から広告主によって、広告アカウント単位に応じて広告費用に関する自動充填機能をオン状態に受信してもよい。
【００６３】
ステップＳ５２０において、自動充填システム１００は、広告主から自動充填機能の設定に応じて広告費用を自動充填するための決済情報が入力される。
【００６４】
ステップＳ５２０において、自動充填システム１００は、自動充填に対する設定可否を判断するステップをさらに含んでもよい。一例として、広告主によって自動充填機能がオン状態に設定されたと判断された場合、ステップＳ５２０において、自動充填システム１００は、自動充填による充填周期、１回の充填金額、１ヶ月の上限の充填金額、充填開始の時間情報または充填終了時間情報を含む決済情報が入力されてもよい。充填周期は、広告費用に関する自動充填を実施するための周期として、広告露出サービスの中断周期の第１の周期よりも短い第２の周期であってもよい。一例として、ステップＳ５２０において、自動充填システム１００は、広告主から広告主の個人情報、広告主の口座情報、広告主のクレジットカード情報、口座の暗証番号、カードの暗証番号、または公認認証の暗証番号などを自動充填に対する広告費用の決済情報として入力されてもよい。
【００６５】
ステップＳ５３０において、自動充填システム１００は入力された決済情報を認証する。すなわち、ステップＳ５３０において、自動充填システム１００は、入力された広告費用を自動充填するための決済情報を認証する。
【００６６】
ステップＳ５４０において、自動充填システム１００は、認証された決済情報の有効性をチェックする。すなわち、ステップＳ５４０で自動充填システム１００は、認証された広告費用の自動充填に対する決済情報が有効であるか否かをチェックする。
【００６７】
ステップＳ５５０において、自動充填システム１００は、認証された広告費用の自動充填に対する決済情報を格納する。一例として、ステップＳ５５０で自動充填システム１００は、広告主の個人情報、広告主の口座情報、広告主のクレジットカード情報、口座の暗証番号、カードの暗証番号、または公認認証の暗証番号などを認証された広告費用の自動充填に対する決済情報として格納してもよい。
【００６８】
ステップＳ５６０において、自動充填システム１００は、有効性判断の結果に応じて決済情報のビルキー（ｂｉｌｌｋｅｙ）を発給する。一例として、有効性判断の結果に応じて決済情報が有効である場合、ステップＳ５６０で自動充填システム１００は、広告費用を自動充填するための決済情報のビルキーを発給してもよい。
【００６９】
ステップＳ５７０において、自動充填システム１００は発給されたビルキーを格納する。
【００７０】
ステップＳ４２０において、自動充填システム１００は決済情報に応じて広告費用を自動充填する。以下、図６を参照して広告費用を自動充填するステップについてより詳細に説明する。
【００７１】
図６は、本発明に係る自動充填方法において自動充填ステップをより具体化した一例を示す図である。
【００７２】
図１および図６を参照すると、ステップＳ６１０において、自動充填システム１００は、第１の周期で広告アカウントのロックが発生したか否かを判断する。すなわち、ステップＳ６１０で自動充填システム１００は、広告費用に関する残額を基準にして、広告アカウントに対する広告露出サービスの中断が第１の周期で実施されたか否かを判断する。一例として、ステップＳ６１０で自動充填システム１００は、広告アカウントに対する広告執行によって広告アカウントに対する広告費用の残額により第１の周期で広告アカウントのロックが発生したか否かを判断してもよい。
【００７３】
広告アカウントのロックが発生しなかった場合、ステップＳ６１５で自動充填システム１００は、広告アカウントによる広告を執行する。一例として、広告アカウントに対する広告費用の残額が広告を執行できるほど十分な金額、または自動充填期間が終了しなかった場合、ステップＳ６１５で自動充填システム１００は、広告アカウントのロックが発生していないため広告アカウントによる広告を執行してもよい。
【００７４】
広告アカウントのロックが発生した場合、ステップＳ６２０で自動充填システム１００は、１ヶ月の上限の充填金額および自動充填終了日の条件を満足するか否かを判断する。
【００７５】
１ヶ月の上限の充填金額および自動充填終了日の条件を満足しないと判断された場合、ステップＳ６２５で自動充填システム１００は広告費用の自動充填が決済失敗したと判定する。
【００７６】
１ヶ月の上限の充填金額および自動充填終了日の条件を満足したと判断される場合、ステップＳ６３０において自動充填システム１００は、自動充填の決済情報に応じてビルキーで１回の充填金額を自動充填するよう要求する。一例として、１ヶ月の上限の充填金額を超過せずに、自動充填終了日が経過しなかったと判断される場合、ステップＳ６３０で自動充填システム１００は、自動充填の決済情報に応じてビルキーで１回の充填金額を自動充填するよう要求する。
【００７７】
ステップＳ６４０において、自動充填システム１００は第２の周期で自動充填を実行する。すなわち、ステップＳ６４０で自動充填システム１００は、要求された自動充填によってビルキーで広告費用の自動充填に対する決済を実行する。
【００７８】
ステップＳ６４０において、自動充填システム１００は広告費用の自動充填に対する決済が成功したか否かを判断する。
【００７９】
広告費用の自動充填に対する決済が成功しなかったと判断される場合、ステップＳ６５５で自動充填システム１００は、バックアップクレジットカードに自動充填を要求し、ステップＳ６５０において、バックアップクレジットカードを介した広告費用の自動充填を実行してもよい。
【００８０】
広告費用の自動充填に対する決済が成功したと判断される場合、ステップＳ６６０において自動充填システム１００は、広告費用に関する残額をアップデートする。すなわち、広告費用の自動充填に対する決済が成功したと判断される場合、ステップＳ６６０で自動充填システム１００は、広告費用の自動充填に対する結果に応じて充填された金額を用いて広告費用に関する残額をアップデートする。一例として、自動充填の決済が成功した場合、ステップＳ６６０で自動充填システム１００は決済情報で残額をアップデートし、アップデートされた決済情報の変更履歴を表示するステップをさらに含んでもよい。
【００８１】
ステップＳ６６５において、自動充填システム１００は、アップデートされた広告費用に関する残額が広告を執行するのに十分な金額であるため、広告主に対する広告を執行する。
【００８２】
ステップＳ４３０において、自動充填システム１００は広告費用に関する自動充填結果を通知する。すなわち、ステップＳ４３０で自動充填システム１００は、広告主の広告費用を自動的に充填した後、広告費用に関する自動充填結果を、広告主端末１２０を介して広告主に通知してもよい。
【００８３】
一例として、ステップＳ４３０において、自動充填システム１００は自動充填結果に応じて決済成功メッセージ、決済失敗メッセージ、または結果通知メッセージを広告主端末に送信して、自動充填結果を広告主に通知してもよい。メッセージは、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）またはＥメール（ｅ−ｍａｉｌ）などのような多様な方式で送信されてもよい。
【００８４】
一例として、ステップＳ４３０において、自動充填システム１００は自動充填の決済が成功した時、またはバックアップクレジットカードを介する決済が成功した時に、決済成功メッセージを広告主端末に送信して自動充填結果を広告主に通知してもよい。
【００８５】
一例として、ステップＳ４３０において、自動充填システム１００は自動充填の決済が失敗した時、またはバックアップクレジットカードを用いた決済が失敗した時に、決済失敗メッセージを広告主端末に送信する自動充填結果を広告主に通知してもよい。
【００８６】
一例として、ステップＳ４３０において、自動充填システム１００は自動充填の決済金額が１ヶ月の上限の充填金額を超過した場合、または自動充填に対する終了日が経過した場合、広告主端末に決済通知メッセージを送信して自動充填結果を広告主に通知してもよい。
【００８７】
このように本発明に係る自動充填方法は、広告費用に関する決済情報によって広告費用を自動的に充填し、広告費用に関する充填結果を通知することによって広告主が広告費用を別途管理しなくても、定められた期間の間に限度額内で広告費用を便利に自動充填することができる。
【００８８】
また、本発明に係る自動充填方法は、広告費用の残額または残額予想値を基準にして広告露出サービスの中断を第１の周期で実施し、第１の周期よりも短い第２の周期で広告費用を自動充填することで、広告費用を充填しないことによって広告露出のサービスが中断されることを予め防止することができる。
【００８９】
一方、本発明に係る広告費用を自動的に充填する方法は、多様なコンピュータ手段を介して様々な処理を実行することができるプログラム命令の形態に具現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピーディスク（登録商標）及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェア階層で作動するように構成されてもよい。
【００９０】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００９１】
したがって、本発明の範囲は、開示された実施形態に限定されて定められるものではなく、特許請求の範囲だけではなく特許請求の範囲と均等なものなどによって定められるものである。
【図１】
2012501488.tif 000003
【図２】
2012501488.tif 000004
【図３】
2012501488.tif 000005
【図４】
2012501488.tif 000006
【図５】
2012501488.tif 000007
【図６】
2012501488.tif 000008
【国際調査報告】
2012501488.tif 000009
2012501488.tif 000010
2012501488.tif 000011
2012501488.tif 000012
2012501488.tif 000013
2012501488.tif 000014
2012501488.tif 000015
2012501488.tif 000016